(57)【特許請求の範囲】
【請求項１】
熱良導体により形成された本体と、前記本体に対して定位置に配置されたＬＥＤと、前記ＬＥＤを覆う透光性を有したカバーとを備え、前記ＬＥＤが配置され前記ＬＥＤと熱的に結合するＬＥＤ取付部が、前記本体に一体に設けられ、
前記ＬＥＤ取付部は、前記本体の一面に突出する形に設けられ、前記カバーは、前記ＬＥＤ取付部とにより囲む空間内に前記ＬＥＤを配置するように前記ＬＥＤ取付部に取り付けられ、
前記カバーは、円筒状に形成され、軸線に沿う方向の両端面をそれぞれ塞ぎかつ前記ＬＥＤ取付部の少なくとも一部を覆う円形のエンドカバーが取り付けられていることを特徴とする照明器具。
【発明の詳細な説明】
【技術分野】
【０００１】
本発明は、ＬＥＤ（発光ダイオード）を光源とした照明器具に関する。
【背景技術】
【０００２】
近年、ＬＥＤが照明器具の光源として用いられている。一般に、ＬＥＤは、発光するときに発熱し、温度が上昇すると発光効率が低下したり寿命が短くなるなどの問題が生じる。そのため、ＬＥＤを光源とした照明器具を使用する場合、必要に応じて、発光時のＬＥＤからの熱を放熱するための放熱構造を設ける必要がある。
【０００３】
従来は、ＬＥＤからの熱の放熱対策のために、特許文献１に記載されている照明器具が提供されている。特許文献１に記載の照明器具９は、図４のように、一面が開口した有底円筒状の本体９１と、ＬＥＤが取り付けられ本体９１内に収納されている実装基板９２と、本体９１の底壁外面に設けられる放熱フィン９３とを備える。すなわち、特許文献１に記載された照明器具９は、アルミニウムなどにより形成された放熱フィン９３を放熱部材として本体９１の底壁外面に設けることにより、ＬＥＤからの熱を放熱している。
【先行技術文献】
【特許文献】
【０００４】
【特許文献１】特開２００８−１５９４５５号公報
【発明の概要】
【発明が解決しようとする課題】
【０００５】
しかし、特許文献１に記載された照明器具９では、放熱フィン９３が別部材であるから、照明器具９が大型化してしまうという問題がある。
【０００６】
本発明は、上記事由に鑑みて為されたものであって、ＬＥＤの放熱を行いながらも大型化を抑えることができる照明器具を提供することを目的とする。
【課題を解決するための手段】
【０００７】
本発明の照明器具は、熱良導体により形成された本体と、本体に対して定位置に配置されたＬＥＤと、ＬＥＤを覆う透光性を有したカバーとを備え、ＬＥＤが配置されＬＥＤと熱的に結合するＬＥＤ取付部が、本体に一体に設けられ、ＬＥＤ取付部は、本体の一面に突出する形に設けられ、カバーは、ＬＥＤ取付部とにより囲む空間内にＬＥＤを配置するようにＬＥＤ取付部に取り付けられ、カバーは、円筒状に形成され、軸線に沿う方向の両端面をそれぞれ塞ぎかつＬＥＤ取付部の少なくとも一部を覆う円形のエンドカバーが取り付けられていることを特徴とする。
【発明の効果】
【００１０】
本発明の構成によれば、ＬＥＤの放熱を行いながらも照明器具の大型化を抑えることができるという利点がある。
【図面の簡単な説明】
【００１１】
【図１】本実施形態の照明器具を示す分解斜視図である。
【図２】同上の要部斜視図である。
【図３】（ａ）は同上の側面図、（ｂ）は同上の一部切り欠いた正面図である。
【図４】従来の照明器具を示す斜視図である。
【発明を実施するための形態】
【００１２】
照明器具１は、図１ないし図３に示すように、矩形箱状の本体２と、ＬＥＤ（図示せず）と、本体２の一面に突出する形に設けられ表面にＬＥＤを配置するＬＥＤ取付部としてのＬＥＤ取付台３と、ＬＥＤを覆う透光性を有したカバー４とを備える。
【００１３】
本体２は、熱良導体により形成されており、断面コ字状のベースカバー６と、ベースカバー６の開口を塞ぐ本体ベース５とを備える。
【００１４】
本体ベース５は、本体２の長手方向に沿った底壁５１と、底壁５１の幅方向における両側縁にそれぞれ立設された一対の内側壁５２と、底壁５１の長手方向における両端縁にそれぞれ立設された一対の両端壁５３とにより構成される。図１に示すように、内側壁５２の底壁５１からの高さ寸法は、端壁５３の底壁５１からの高さ寸法より小さく形成される。内側壁５２の外側面には、長手方向の全長に亘って内側へ窪んだ凹部５２１が形成される。
【００１５】
ベースカバー６は、長手方向の寸法が本体ベース５と略等しい取付台設置壁６１と、取付台設置壁６１の幅方向における両側縁からそれぞれ垂下する一対の外側壁６２とにより構成される。外側壁６２の内面には、長手方向の全長に亘って内側へ突出した凸部６２１が形成される。また、取付台設置壁６１には、ねじ挿通孔６１１が貫設される。
【００１６】
ベースカバー６は、側外壁６２の凸部６２１をカバー本体５の側内壁５２の凹部５２１に嵌合させることにより、カバー本体５に取り付けられる。本体ベース５の端壁５３は、内面がベースカバー６の長手方向の端縁（取付台設置壁６１および両側外壁６２の長手方向の端縁）と当接する。端壁５３の外周は、ベースカバー６の長手方向の端縁の外周と等しくなるように形成される。これにより、本体２において、本体ベース５の端壁５３によりベースカバー６の長手方向の端縁が覆われ、ベースカバー６の長手方向の端縁が露出しなくなり、外観が良くなる（図２参照）。
【００１７】
また、本体２の内部にはＬＥＤに電力を供給するための配線（図示せず）が設けられており、並設した照明器具１間の接続や、本体２から外部へ引き出され電力の供給などに用いられる。
【００１８】
ＬＥＤ取付台３は、熱良導体により形成され、断面が五角形状に形成されている。すなわち、ＬＥＤ取付台３は、本体２における取付台設置壁６１の外側面に当接する底面３３を有し、底面３３の幅方向の両端縁にはそれぞれ底面３３に直交する一対の側面３１が形成される。さらに、ＬＥＤ取付台３は、各側面３１の上端にそれぞれ連続する一対の取付面３４を備える。各取付面３４は、それぞれ側面３１から上り傾斜で傾斜面を形成する。
【００１９】
ＬＥＤ取付台３の両側面３１には、長手方向の全長に亘ってカバー取付溝３１１が形成される。取付面３４には、それぞれ複数個ずつのＬＥＤが配置される。取付面３４に配置されたＬＥＤは、ＬＥＤ取付台３４と熱的に結合される。これにより、ＬＥＤからの熱が、ＬＥＤ取付台３へ伝熱される。
【００２０】
カバー４は、ポリカーボネートなど透光性材料により形成されており、円筒状のカバー本体４１と、カバー本体４１の軸線に沿う方向の両端の開口を塞ぐ円形のエンドカバー４２とを備える。カバー本体４１の一部には、軸線に沿う方向に全長に亘る貫通窓４１２が形成されており、軸線に沿う方向に直交する断面はＣ字状になる。
【００２１】
エンドカバー４２は、外径がカバー本体４１の外径と略等しい円板状のエンド部外壁４２１を備える。エンド部外壁４２１の厚み方向の一面には、エンド部外壁４２１と同軸で外径がカバー本体４１の内径よりも小さい円板状のエンド部内壁４２２が一体に形成されている。また、エンド部外壁４２１の外周一端には、エンド部内壁４２２に沿って厚み方向に突起した突出片４２３が形成される。
【００２２】
ＬＥＤ取付台３は、本体２と長手方向を合わせて、底面３３をベースカバー６の取付台設置壁６１の外面に密着させて結合される。すなわち、固定用ねじ７が取付台設置壁６１の内面側からねじ挿通孔６１１に挿通され、ＬＥＤ取付台３の底面３３に開口したねじ止め用孔（図示せず）に螺合されることにより、ＬＥＤ取付台３が取付台設置壁６１に結合され、本体２とＬＥＤ取付台３とが一体化される。これにより、ＬＥＤ取付台３がベースカバー６に密着され、ＬＥＤ取付台３に配置したＬＥＤからの熱をＬＥＤ取付台３により本体２に伝熱できる。そのため、照明器具１は、別部材を用いることなく、ＬＥＤの放熱を行い、照明器具１の大型化を抑えることができ、照明器具１のコンパクト化・軽量化が可能となる。
【００２３】
カバー４のカバー本体４１は、軸線に直交する断面においてＣ字状であり、周方向に形成される端縁部４１３をＬＥＤ取付台３のカバー取付溝３１１に嵌め入れることによりＬＥＤ取付台３に結合される。
【００２４】
カバー本体４１は、軸線に沿う方向の長さがＬＥＤ取付台３の長手方向の長さよりも長く形成されており、カバー本体４１の軸線に沿う方向の両端部は、ＬＥＤ取付台３よりも外側に突出する。エンドカバー４２は、エンド部内壁４２２がカバー本体４１の軸線に沿う方向の両端の開口に挿入され、エンド部外壁４２１がカバー本体４１の両端縁に当接する。このようにして、エンドカバー４２がカバー本体４１に取り付けられ、カバー４を形成する。このとき、エンドカバー４２の突出片４２３は、カバー本体４１の貫通窓４１２を塞ぐように位置し、突出片４２３の先端はＬＥＤ取付台３の長手方向における各端面３２をそれぞれ覆う。これにより、カバー４が、ＬＥＤ取付台３に対して位置固定され、ＬＥＤ取付台３は、底面３３付近の一部を除きカバー４に覆われ、外観がよくなる。
【００２５】
カバー４は、熱膨張を考慮し、カバー本体４１の軸線に沿う方向のカバー４の長さを本体２の長手方向の長さよりも短く形成される。そのため、照明器具１は、本体２の端壁５３を当接させて照明器具１を複数台並べて設置することが可能である。このように本体２の端壁５３を当接させて照明器具１を複数台並べて廊下の天井面などに設置した場合、光の切れ目のない連続した照明が可能である。また、部屋などのある縁に沿って照明器具１を複数台並べて設置し、切れ目なく全体を光らせることが可能である。
【００２６】
なお、カバー４が熱膨張を考慮しなくてよい材料で形成されていれば、カバー本体４１の軸線に沿う方向のカバー４の長さを本体２の長手方向の長さと等しく形成し、エンドカバー４２を当接させて複数台並べて設置することが可能となる。この場合、より切れ目のない連続した照明が可能となる。また、ＬＥＤ取付台３を断面五角形状に形成する例を示したが、断面が凸多角形状であれば、他の形状であってもよい。
【符号の説明】
【００２７】
１  照明器具
２  本体
３  ＬＥＤ取付台（ＬＥＤ取付部）
４１  カバー本体（カバー）
４２  エンドカバー
【図１】
0005740569.tif 000002
【図２】
0005740569.tif 000003
【図３】
0005740569.tif 000004
【図４】
0005740569.tif 000005